(57)【特許請求の範囲】
【請求項１】
隣接する遊技台間の前方領域において遊技者が占有できる遊技空間の下部を仕切る下部仕切り板であって、
仕切り板本体と、
前記仕切り板本体を床に固定する固定部と、を備え、
前記仕切り板本体に設けられ、収納状態から展開状態に展開可能なテーブル、及び、
前記仕切り板本体の側部に別体に設けられ、前記遊技台に対して遠ざかる方向に延びるように形成される羽根部を有し、
前記羽根部は、前記仕切り板本体に取り付ける取付部を有することを特徴とする下部仕切り板。
【請求項２】
前記仕切り板本体と前記テーブルとの間に設けられたステーを有し、
前記ステーは、一端側に設けられ前記テーブルの自由端側を回動自在に軸支する第１軸支部と、他端側に設けられ摺動可能に軸支する第２軸支部とを有し、
前記仕切り板本体は、前記テーブルの展開状態において前記ステーの第２軸支部を係止する係止部を有することを特徴とする請求項１に記載の下部仕切り板。
【請求項３】
前記テーブルの展開状態を保持するために前記ステーの第１軸支部を軸方向に付勢する付勢手段と、
前記付勢手段による付勢を解除する操作部材と、を有することを特徴とする請求項２に記載の下部仕切り板。
【請求項４】
前記仕切り板本体と前記テーブルとの間に設けられたステーを有し、
前記ステーは、一端が前記仕切り板本体に回転自在に軸支され、他端が前記テーブルに回転自在に軸支され、前記テーブルの収納状態から展開状態に移ったときに前記展開状態で係止されることを特徴とする請求項１に記載の下部仕切り板。
【請求項５】
前記テーブルの展開状態を保持するラッチ部材と、
前記ラッチ部材によるラッチ状態を解除する操作部材と、
を有することを特徴とする請求項１に記載の下部仕切り板。
【請求項６】
前記テーブルを回動軸方向にスライド可能に軸支する軸支部を有し、
前記軸支部は、前記テーブルが前記展開状態において前記回動軸方向にスライドさせたときに前記テーブルの収納状態への回動を規制する規制部を有することを特徴とする請求項１に記載の下部仕切り板。
【請求項７】
前記テーブルに設けられ、前記テーブルを収納する第１状態と、前記テーブルを展開した第２状態に移動可能なガセットを有し、
前記ガセットは、前記テーブルを展開した第２状態において前記仕切り板本体と当接して前記テーブルの展開状態を支持する当接部を有することを特徴とする請求項１に記載の下部仕切り板。
【請求項８】
前記テーブルが前記展開状態において回動軸方向にスライドさせたときに前記テーブルの回動を規制するロック部と、
前記テーブルが展開状態において前記回動軸方向に前記テーブルに対して付勢力を与える付与部と、
をさらに有することを特徴とする請求項１に記載の下部仕切り板。
【請求項９】
前記仕切り板本体に取り付けられるベース部材をさらに有し、
前記テーブルは、一端側に設けられた湾曲部と、前記湾曲部の先端に設けられた突起部とを有し、
前記ベース部は、前記テーブルの湾曲部に対応して形成される湾曲部と、前記テーブルの展開状態において前記突起部が当接する壁部と、を有することを特徴とする請求項１に記載の下部仕切り板。
【請求項１０】
前記羽根部は、
広告用のパネルを収容する収容部と、
前記収容部に収容された広告用パネルを保持する保持部と、を有することを特徴とする請求項１に記載の下部仕切り板。
【請求項１１】
前記羽根部は、接触を避けるための切欠き部を有することを特徴とする請求項１に記載の下部仕切り板。
【請求項１２】
前記仕切り板本体は、
広告用のパネルを収容する収容部と、
前記収容部に収容された広告用パネルを保持する保持部と、を有することを特徴とする請求項１に記載の下部仕切り板。
【請求項１３】
前後方向及び横方向の少なくとも一方にスライドする肘置きをさらに有することを特徴とする請求項１から請求項１２のいずれか１項に記載の下部仕切り板。
【請求項１４】
前記肘置きの前記仕切り板本体側に設けられ、肘置きに置かれた手が接触可能な板部材をさらに有することを特徴とする請求項１３に記載の下部仕切り板。
【請求項１５】
前記肘置きの高さを調整する調整部をさらに有する請求項１３又は請求項１４に記載の下部仕切り板。
【請求項１６】
前記仕切り板本体を膳板に固定するための固定部をさらに有することを特徴とする請求項１から請求項１５のいずれか１項に記載の下部仕切り板。
【発明の詳細な説明】
【技術分野】
【０００１】
本発明は、下部仕切り板に関する。
【背景技術】
【０００２】
パチンコ台やスロットマシン等が設置された遊技ホールでは、遊技に集中してもらうため、遊技者ごとに快適な遊技空間を提供している。
例えば、特許文献１には、仕切手段を利用して利用者が楽な姿勢で遊技が行なえるように、遊技者が使用する側の腕を置く肘掛部を備えた遊技ブースが記載されている。この遊技用ブースによれば、遊技者は、その遊技機用空間を使用して快適に遊技に集中することができる。
【先行技術文献】
【特許文献】
【０００３】
【特許文献１】実用登録第３１３６４３２号公報
【発明の概要】
【発明が解決しようとする課題】
【０００４】
本発明は、遊技者が占有できる遊技空間内において、よりよい遊技環境を提供可能な下部仕切り板を提供することを目的とする。
【課題を解決するための手段】
【０００５】
上記課題を解決するため、（１）本発明は、隣接する遊技台の前方領域の下部を仕切る下部仕切り板であって、仕切り板本体と、前記仕切り板本体を床に固定する固定部と、を備え、収納状態から展開状態に展開可能なテーブルを有する。
（２）上記（１）において、仕切り板本体と前記テーブルとの間に設けられたステーを有し、前記ステーは、一端側に設けられ前記テーブルの自由端側を回動自在に軸支する第１軸支部と、他端側に設けられ摺動可能に軸支する第２軸支部とを有し、前記仕切り板本体は、前記テーブルの展開状態において前記ステーの第２軸支部を係止する係止部を有する。
【０００６】
（３）上記（２）において、前記テーブルの展開状態を保持するために前記ステーの第１軸支部を軸方向に付勢する付勢手段と、前記付勢手段による付勢を解除する操作部材と、を有する。
（４）上記（１）において、前記仕切り板本体と前記テーブルとの間に設けられたステーを有し、前記ステーは、一端が前記仕切り板本体に回転自在に軸支され、他端が前記テーブルに回転自在に軸支され、前記テーブルの収納状態から展開状態に移ったときに前記展開状態で係止される。
（５）上記（１）において、前記テーブルの展開状態を保持するラッチ部材と、前記ラッチ部材によるラッチ状態を解除する操作部材と、を有する。
【０００７】
（６）上記（１）において、前記テーブルを回動軸方向にスライド可能に軸支する軸支部を有し、前記軸支部は、前記テーブルが前記展開状態において前記回動軸方向にスライドさせたときに前記テーブルの収納状態への回動を規制する規制部を有する。
（７）上記（１）において、前記テーブルに設けられ、前記テーブルを収納する第１状態と、前記テーブルを展開した第２状態に移動可能なガセットを有し、前記ガセットは、前記テーブルを展開した第２状態において前記仕切り板本体と当接して前記テーブルの展開状態を支持する当接部を有する。
【０００８】
（８）上記（１）において、前記テーブルが前記展開状態において回動軸方向にスライドさせたときに前記テーブルの回動を規制するロック部と、前記テーブルが展開状態において前記回動軸方向に前記テーブルに対して付勢力を与える付与部とを有する。
【０００９】
（９）上記（１）において、前記仕切り板本体に取り付けられるベース部材をさらに有し、前記テーブルは、一端側に設けられた湾曲部と、前記湾曲部の先端に設けられた突起部とを有し、前記ベース部は、前記テーブルの湾曲部に対応して形成される湾曲部と、前記テーブルの展開状態において前記突起部が当接する壁部と、を有する。
（１０）上記（１）〜（９）において、前記仕切り板本体の側部に設けられ、前記遊技台に対して遠ざかる方向に延びるように形成される樹脂製の羽根部を有し、前記羽根部は、前記仕切り板本体に取り付ける取付部を有する。
（１１）上記（１０）において、前記羽根部は、広告用のパネルを収容する収容部と、前記収容部に収容された広告用パネルを保持する保持部とを有する。
（１２）上記（１０）又は（１１）において、前記羽根部は、接触を避けるための切欠き部を有する。
【００１０】
（１３）上記（１）〜（９）において、広告用のパネルを収容する収容部と、前記収容部に収容された広告用パネルを保持する保持部と、を有する。
（１４）上記（１）〜（１３）において、前後方向及び横方向の少なくとも一方にスライドする肘置きをさらに有する。
（１５）上記（１４）において、前記肘置きの前記仕切り板本体側に設けられ、肘置きに置かれた手が接触可能な板部材をさらに有する。
（１６）上記（１）〜（１５）において、前記仕切り板本体を膳板に固定するための固定部をさらに有する。
（１７）上記（１）〜（１６）において、前記肘置きの高さを調整する調整部を有する。
【発明の効果】
【００１１】
本発明によれば、遊技者が占有できる遊技空間内において、よりよい遊技環境を提供可能な下部仕切り板を提供することができる。
【図面の簡単な説明】
【００１２】
【図１】遊技島に本実施形態に係る下部仕切り板の利用状態を模式的に表した図である。
【図２】本発明の実施形態に係る下部仕切り板のテーブルが収納されている状態を示す斜視図である。
【図３】本発明の実施形態に係る下部仕切り板のテーブルが収納されている状態を示す斜視図である。
【図４】本発明の実施形態に係る下部仕切り板のテーブルが収納されている状態を示す構成図である。
【図５】本発明の実施形態に係る下部仕切り板の肘置きを説明する図である。
【図６】本発明の実施形態に係る下部仕切り板のテーブルを展開した状態を示す図である。
【図７】本発明の実施形態に係る下部仕切り板のテーブルを展開した状態を示す図である。
【図８】本発明の実施形態に係る下部仕切り板の羽根部の広告収納部について説明する図である。
【図９】本発明の他の実施形態に係る下部仕切り板を説明する図である。
【図１０】（ａ）は本発明の実施形態に係る下部仕切り板の変形例２について説明する断面図、（ｂ）はテーブルの裏側からラッチ機構を透かしてみた状態を示す図である。
【図１１】（ａ）は本発明の実施形態に係る下部仕切り板の変形例３について説明する断面図、（ｂ）は分解斜視図、（ｃ）は軸ロック方式のロック方法を説明する図である。
【図１２】（ａ）は本発明の実施形態に係る下部仕切り板の変形例４について説明する断面図、（ｂ）（ｃ）はガセットホルダの位置を説明する図である。
【図１３】本発明の実施形態に係る下部仕切り板の変形例５について説明する図であって、（ａ）はテーブルの説明図、(ｂ)はベース部材を説明する図、(ｃ)はテーブルが展開している状態を示す図である。
【図１４】テーブルが収納状態から展開状態への推移を説明する図である。
【図１５】本発明の実施形態に係る下部仕切り板の変形例６について説明する図である。
【発明を実施するための形態】
【００１３】
以下、添付図面を参照して、本発明を実施するための形態（以下、実施形態）について詳細に説明する。以降の図においては、実施形態の説明の全体を通して同じ要素には同じ番号又は符号を付している。
【００１４】
以下、図１〜図９を参照しながら本発明の実施形態に係る下部仕切り板の構成について詳細に説明する。
図１は、遊技島Ａに本実施形態に係る下部仕切り板１の利用状態を模式的に表した図である。
【００１５】
図１に示すように、遊技ホールには、複数の遊技島Ａが配置され、遊技島Ａごとに複数の遊技台Ｂが設置されている。本実施形態に係る下部仕切り板１は、隣接する遊技台の前方領域の下部を仕切るものである。この下部仕切り板１は、前面が遊技台Ｂの枠体とほぼ同じ位置となるように各遊技台Ｂの台間に配置される上部仕切り板Ｃの床方向に設置されている。
【００１６】
図２は、本発明の実施形態に係る下部仕切り板のテーブルが収納されている状態を示す斜視図である。図３は、本発明の実施形態に係る下部仕切り板のテーブルが収納されている状態を示す斜視図である。図４は、本発明の実施形態に係る下部仕切り板のテーブルが収納されている状態を示す構成図、（ａ）は正面図、（ｂ）は左側面図、（ｃ）は右側面図、（ｄ）は背面図である。
【００１７】
図５は、本発明の実施形態に係る下部仕切り板の肘置きを説明する図、（ａ）は肘置きの上面図、（ｂ）は底面図、（ｃ）は（ｂ）のＸ−Ｘ断面図である。
図６（ａ）は、本発明の実施形態に係る下部仕切り板のテーブルを展開した状態を示す図、（ｂ）はテーブルの取付部を説明する図である。図７は、本発明の実施形態に係る下部仕切り板のテーブルを展開した状態を示す図である。図８は、本発明の実施形態に係る下部仕切り板の羽根部の広告収納部について説明する図である。
【００１８】
（下部仕切り板）
図２から図７に示すように、下部仕切り板１は、仕切り板本体１０、羽根部１１、収納状態から展開状態に回動可能なテーブル２０、肘置き３０、側部固定部４０、高さ調整部４１、下部固定部４２を有する。
【００１９】
（仕切り板本体）
仕切り板本体１０は、板形状に形成されており、金属やアルミニウムによって構成され、その周囲は塗装が施されている。なお、仕切り板本体１０に複数の穴を設けて、通気性を確保するようにしてもよい。仕切り板本体１０にはフック６０が設けられており、このフック６０に物を掛けることができる。また、仕切り板本体１０には傘、洋服収納容器又はメダル収納容器等を保持する保持部を設けることができる。仕切り体本体を樹脂製の素材によって構成することもできる。
【００２０】
（羽根部）
仕切り板本体１０の側部には樹脂製の羽根部１１が設けられている。この羽根部１１は、遊技台に対して遠ざかる方向に延びるよう形成されており、下部の一部は接触を避けるための切欠部１１ｃが形成されている。この切欠部１１ｃが有ることによって、椅子を回転させたときに、椅子や遊技者の足が羽根部１１に接触することを防ぐことができる。
【００２１】
羽根部１１は、客が接触した時に破損し、あるいは遊技客が怪我を負わないようにするため、一定程度の強度と弾性を有する素材であることが好ましい。これらの条件を満たすためにはアクリル製のボード、例えば、エラストマー性樹脂が含有される素材を使用するのが好ましい。エラストマー性樹脂は、数あるプラスチックの中でもゴム的な性質を最大の特徴としており、ゴムとプラスチックの双方にまたがるような非常に特徴ある使われ方がなされており、一定の強度と弾性を有する点で羽根部１１の素材として最適である。なお、エラストマー性樹脂に限定されず、透明であって一定の強度と弾性を有する素材であれば代替可能である。
【００２２】
羽根部１１の形状又は大きさは、遊技店に設置される隣接する遊技島との間隔や、遊技台の台間に設置される上部仕切り板（図１で示す上部仕切り板Ｃ）の形状、及び大きさに応じて適宜変更可能である。なお、羽根部１１と、仕切り板本体１０は一体成形されていてもよい。
【００２３】
図６（ａ）に示すように、羽根部１１は、仕切り板本体１０の孔１０ｂにネジ（取付部）４３によって取付ることができる。仕切り板本体１０に形成されている孔１０ｂにネジ４３で固定することができ、取り外すときは、ネジ４３を緩めることによって、取り外すことができる。羽根部１１は、大きい羽根部と、小さい羽根部とを用意しておき、必要に応じて大きい羽根部と小さい羽根部を選択的に取付部４３によって仕切り板本体１０に取付ることができる。
【００２４】
図８に示すように、羽根部１１には、広告用パネルＰを収容する収容部１１ａが形成されており、収容部１１ａに収容された広告用パネルを保持する保持爪（保持部）１１ｂが設けられている。図８（ａ）に示す状態から、保持爪１１ｂにそって広告用パネルＰを収容部１１ａに収容させていき（同図（ｂ））、広告用パネルＰすべてを収容部１１ａに入れることができる（同図（ｃ））。この構成によって広告用パネルＰを簡単に変更することができる。図に示す例では、羽根部１１の両側にそれぞれ広告用パネルを収容することができるように構成したが、両側に広告表示がなされた１枚の広告用パネルを一つ収容部に装着して、両側から視認することができるように構成することもできる。なお、広告用パネルＰを収容する収容部を羽根部に設ける例について説明したが、広告用パネルＰを収容する収容部を仕切り板本体１０に設けるようにしてもよい。
【００２５】
（テーブル）
下部仕切り板１は、テーブル２０が設けられており、不使用時には仕切り板本体１０の内側に折り畳まれて収納される。図６（ａ）に示すように、このテーブル２０は収納状態から展開状態に回動させることができ、収納状態から展開状態に起こしたときに、テーブル２０を遊技台に対して前後方向にスライドさせることができる。仕切り板本体１０には仕切り板本体１０から突出し、テーブル２０の回動を規制するロック部２５が取り付けられている。このロック部２５によって、テーブル２０は、展開状態において回動軸方向にスライドさせたときにテーブル２０の回動が規制されている。
【００２６】
また、図６（ｂ）に示すように、テーブル２０が展開状態において回動軸方向にテーブル２０に対して付勢力を与えるバネ（付与部）２４が設けられている。突起２３と回転軸２１に設けられた突起２２の間に設けられたバネ２４によって、回転軸方向に付勢力が与えられ、ロック部２５に当接するテーブル２０は回動が規制される。尚、図においては、回動によって収納状態から展開状態へ移行する場合を例にとって説明しているが、これに限られず、収納状態から展開状態へ移行することができるものであれば、例えば引き出し式等の場合も含まれる。
【００２７】
（肘置き）
仕切り板本体１０は、仕切り板本体１０の遊技者の側方と対向する側の面の反対側の面に肘置き３０が設けられる。
図３及び図４等に示すように、肘置き３０の仕切り板本体１０側には、板部材３２が設けられている。この板部材３２を設けることによって、肘置き３０に置かれた手が板部材３２接触して遊技者がハンドルに手を掛ける際の負担を軽減することができる。
【００２８】
次に肘置き３０のスライドについて説明する。
図５（ｂ）に示すように、肘置き３０の下側には、プレート７１が設けられている。仕切り板本体１０には、取付金具７０が固定されている。取付金具７０には、遊技者から左右方向に延びる長孔７２が形成されている。取付金具７０とプレート７１は、長孔７２を介してボルト７３によって取付されている。ボルト７３を緩めることによって、プレート７１は取付金具７０に対して、左右方向に移動することができ、これによって、肘置き３０を遊技台からみて左右方向にスライドさせることができる。
【００２９】
また、図５（ｃ）に示すように、肘置き３０とプレート７１は、スライドレール３１を介して取り付けられている。スライドレール３１は、それぞれネジを介して肘置き３０とプレート７１に固定されている。スライドレール３１は、バネ等によって元の位置に戻るように付勢力が与えられている。スライドレール３１によって、遊技台の前後方向に肘置き３０をスライドさせることができる。これによって遊技者の負担を軽減することができると共に、メンテナンス時には遊技台の扉の開閉をしやすくできる。
【００３０】
（側部固定部）
次に側部固定部４０について説明する。
図１、図２及び図６に示すように、側部固定部４０は、取付金具４０ｂが設けられており、この取付金具４０ｂには、複数の孔４０ａが形成されている。取付金具４０ｂは、膳板Ｄの下側に位置し、ネジを介して膳板Ｄに螺着固定される。テーブル２０が展開状態となったときにテーブル２０の上面と膳板Ｄの上面が略一致するように、仕切り板本体１０に対する取付金具４０ｂの位置が決定されている。このように構成することで、テーブル２０と膳板Ｄを遊技者が一体的に使用することができる。
【００３１】
（高さ調整部）
図２に示すように、下部仕切り板１には、肘置き３０の高さを遊技台のハンドルの高さに対して調整するために調整部４１が設けられている。調整部４１は、下部固定部４２を構成する取付金具４２ａから垂直方向に立設されたフレーム部４２ｃと、仕切り板本体１０とフレーム部４２ｃを固定するネジ（固定手段）４２ｄと、を有する。仕切り板本体１０は、端部が中空に形成されており、この端部に対してフレーム部４２ｃが摺動可能に構成されている。膳板Ｄの下部と取付金具４２ａの位置が決まると、フレーム部４２ｃと仕切り板本体１０の位置関係が決定する。
【００３２】
（下部固定部）
次に下部固定部について説明する。
図２に示すように、下部固定部４２は、仕切り板本体１０を床に固定するためのものである。下部固定部４２は、取付金具４２ａを有し、この取付金具４２ａには、複数の孔４２ｂが設けられている。上記高さ調整後、取付金具４２ａの孔４２ｂにアンカー等でホールの床面に打ち付けることにより、下部仕切り板１を、床面にしっかりと固定することができる。
【００３３】
（変形例）
次に本発明の実施形態に係る下部仕切り板の変形例１について説明する。
図９は、本発明の実施形態に係るテーブルの変形例１を説明する図であって、（ａ）は側面図、（ｂ）は（ａ）のＡ−Ａ断面図である。
図９に示すように、テーブル２０には、仕切り板本体１０とテーブル２０との間にステー１２０が設けられている。ステー１２０は、一端側に設けられる第１軸支部１２１と他端側に設けられる第２軸支部１２２を有する。仕切り板本体１０は、垂直方向に延びる長穴１０ａと、この長穴１０ａの上端部付近に設けられた係止部１０ｂを有する。
第１軸支部１２１は、ステー１２０のテーブル２０の自由端側を回動自在に軸支する。第２軸支部１２２は、長穴１０ａ内においてステー１２０を摺動可能に軸支し、テーブル２０の展開状態において、第２軸支部１２２が長穴１０ａの端部に設けられた係止部１０ｂによって係止される。
【００３４】
図９（ｂ）に示すように、テーブル内部２０には、止め輪１２１ａと、第１軸支部１２１を軸方向に付勢するバネ（付勢手段）１２１ｂが設けられており、バネ１２１ｂによる抵抗によってステー１２０の自由落下を抑制することができる。収納時、操作部材２０ａを操作することによって、バネ１２１ｂによる付勢が解除され、ステー１２０が長穴１０ａ内を自由落下し、テーブル２０が折り畳まれる。
【００３５】
次に本発明の実施形態に係る下部仕切り板の変形例２について説明する。
図１０（ａ）は本発明の実施形態に係る下部仕切り板の変形例２について説明する断面図、（ｂ）はテーブルの裏側からラッチ機構を透かしてみた状態を示す図である。
図１０（ａ）（ｂ）に示すように、仕切り板本体１０にはベース２３０が設けられており、このベース２３０には凹形状を有するキャッチ部２３１が設けられている。テーブル２０は、ラッチ部２２０と、ラッチ部２２０をベース２３０方向に付勢するバネ２２２と、レバー（操作手段）２２１とを有する。レバー２２１にはピン２２３が設けられており、ラッチ部２２０にはガイド穴２２４が設けられている。参照符号２３２は回動軸を示す。ラッチ部２２０は、テーブルの展開状態を保持するためのものである。レバー２２１はラッチ部２２０によるラッチ状態を解除するものである。
【００３６】
テーブル２０の展開時、テーブル２０を収納状態から展開するためにテーブル２０を回動させていくと、ラッチ部２２０がキャッチ部２３１に嵌合されて、テーブル２０の展開状態が保持される。テーブル２０の収納時、レバー２２１を操作すると、ピン２２３がガイド穴２２４をスライドして、ラッチ部２２０を後退することによって、ラッチ部２２０がキャッチ部２３１から外れ、ロックが解除されテーブル２０が畳まれる。
【００３７】
次に本発明の実施形態に係る下部仕切り板の変形例３について説明する。
図１１（ａ）は本発明の実施形態に係る下部仕切り板の変形例３について説明する断面図、（ｂ）は分解斜視図、（ｃ）は軸ロック方式のロック方法を説明する図である。
【００３８】
図１１に示すように、仕切り板本体１０には、テーブル２０を回動軸方向にスライド可能に軸支するテーブル回転支点軸（軸支部）１１２が設けられている。このテーブル回転支点軸１１２には、スプライン状の歯付部（規制部）１１１が複数個形成され、歯付部１１１と隣接して丸棒部１１３が形成されている。テーブル２０には、テーブル回転支点軸１１２が中を通る開口３２１が形成されており、その開口３２１には歯付部１１１と係合する係合部３２２が形成されている。テーブル回転支点軸１１２を取付金具１１５の開口、テーブル２０の開口３２１、バネ１１７、取付金具１１６の開口を通して係合させることで、テーブル回転支点軸１１２にテーブル２０を取り付けることができる。
【００３９】
歯付部１１１と係合部３２２とによってテーブル２０の収納状態への回動を規制することができる。図１１（ｃ）に示すように、テーブル回転支点軸１１２は、テーブル２０の展開状態においてテーブル２０を回動軸方向にスライドさせたときに、テーブル回転支点軸１１２の歯付部１１１とテーブル２０の係合部３２２が係合することで、テーブル２０の展開状態が保持される。収納時は、テーブル２０を軸方向反対側にスライドさせることで、丸棒部１１３の位置でテーブル２０が可動し、テーブル２０を畳むことができる。
【００４０】
次に本発明の実施形態に係る下部仕切り板の変形例４について説明する。
図１２（ａ）は本発明の実施形態に係る下部仕切り板の変形例４について説明する断面図、（ｂ）（ｃ）はガセットホルダの位置を説明する図である。
図１２に示すように、テーブル２０内には、ガセットホルダ４２１が設けられている。ガセットホルダ４２１には、テーブル２０を収納した状態と、テーブル２０を展開した状態に移動可能なガセット４２２が設けられている。ガセット４２２は、テーブルを展開した状態において仕切り板本体１０と当接してテーブル２０の展開状態を支持する当接部４２２ａが設けられている。
【００４１】
ガセットホルダ４２１は、テーブルの展開状態において水平方向を回転軸として回転する軸ピン４２３と、垂直方向を回転軸として回転する軸ピン４２４とを有する。ガセット４２２は、軸ピン４２４を中心に回転するよう構成されている。
バネ４２５は使用状態方向に作用するように構成されており、バネ４２５の付勢い力によって当接部４２２ａが付勢される。ガセット４２２は軸ピン４２３に対し、フリーで回転することができ、常に鉛直方向に向くように構成されているので、テーブル２０を折り畳むことができる。
【００４２】
次に本発明の実施形態に係る下部仕切り板の変形例５について説明する。
図１３は本発明の実施形態に係る下部仕切り板の変形例５について説明する図であって、（ａ）はテーブルの説明図、(ｂ)はベース部材を説明する図、(ｃ)はテーブルが展開している状態を示す図である。図１４は、テーブルが収納状態から展開状態への推移を説明する図である。
【００４３】
図１３及び図１４に示すように、仕切り部本体１０にはベース部材６００がねじ６２３を介して固定されている。ベース部材６００の開口部６２１には、テーブル２０が挿入され、テーブル２０は開口部６２１内を移動することができるように構成されている。ベース部材６００には、第１湾曲部６２２と壁部６２４が形成されている。テーブル２０は、一端側に、ベース部材６００の第１湾曲部６２２に対応する第２湾曲部５２２が形成されており、第２湾曲部５２２の先端には突起部５２１が設けられている。テーブル２０は、他端側に断面コ字状の屈曲部５２３が形成されている。
【００４４】
図１４（ａ）に示すように、テーブル２０の収納状態では、屈曲部５２３がベース部材６００に引っ掛かり収納状態が維持される。同図（ｂ）に示すように、テーブル展開時には、テーブル２０を上方に移動させていき、テーブル２０を水平方向に移動させていくと、テーブル２０の第２湾曲部５２２がベース部材６００の第１湾曲部６２２に沿って移動して、同図（ｃ）に示すように、テーブル２０の突起５２１がベース部材６２４の壁部６２４に当接することにより、テーブル２０の展開状態を維持することができる。テーブル２０を展開状態から収納する場合には上記と逆の手順により収納することができる。
【００４５】
図１５は、本発明の実施形態に係る下部仕切り板の変形例６について説明する図である。図１５に示すように、仕切り板本体１０とテーブル２０との間には、ステー７００が設けられている。
ステー７００は、一端が軸７０１によって仕切り板本体１０に回転自在に軸支され、他端が軸７０２によってテーブル２０に回転自在に軸支されている。仕切り板本体１０にはストッパ１８が回転自在に設けられており、収納状態のときにテーブルの端部７２０に引っかかるように構成されている。同図（ａ）のテーブル２０のロック状態からストッパ１８を回動させて、ロックを解除すると、同図（ｂ）に示すように、ステー７００は、テーブル２０の収納状態から展開状態に移ったときにテーブル２０の展開状態で係止される。これによって、テーブル２０が水平状態に保たれる。
【００４６】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４７】
１    下部仕切り板
１０    仕切り板本体
１１    羽根部
１２    ステー
２０    テーブル
３０    肘置き
４０    取付金具
４０    側部固定部
４１    高さ調整部
４２    下部固定部
１１１    歯付部
１１２    テーブル回転支点軸
２２０    ラッチ部
２２１    レバー
４２１    ガセットホルダ
４２２    ガセット
【図１】
0006693016.tif 000002
【図２】
0006693016.tif 000003
【図３】
0006693016.tif 000004
【図４】
0006693016.tif 000005
【図５】
0006693016.tif 000006
【図６】
0006693016.tif 000007
【図７】
0006693016.tif 000008
【図８】
0006693016.tif 000009
【図９】
0006693016.tif 000010
【図１０】
0006693016.tif 000011
【図１１】
0006693016.tif 000012
【図１２】
0006693016.tif 000013
【図１３】
0006693016.tif 000014
【図１４】
0006693016.tif 000015
【図１５】
0006693016.tif 000016